(57)【特許請求の範囲】
【請求項１】
筐体と、
上記筐体に設けられたコネクタと、
上記コネクタを開閉可能に覆うコネクタカバーと、を具備し、
上記コネクタカバーは、一対のカバー部を有し、これらカバー部は、互いに並んで上記コネクタを覆う閉じ位置と、上記コネクタを間に挟んだ位置に回り込む開き位置とに亘って回動可能であることを特徴とする携帯形電子機器。
【請求項２】
回路基板を収容する筐体と、
上記回路基板に電気的に接続されるとともに、上記筐体の外に露出されたコネクタと、
上記コネクタを開閉可能に覆うコネクタカバーと、を具備し、
上記コネクタカバーは、一対のカバー部を有し、これらカバー部は、互いに並んで上記コネクタを覆う閉じ位置と、上記コネクタを間に挟んだ位置に回り込む開き位置とに亘って回動可能であることを特徴とする携帯形電子機器。
【請求項３】
請求項１又は請求項２の記載において、上記カバー部は、上記閉じ位置に回動された時に互いに突き合わされることを特徴とする携帯形電子機器。
【請求項４】
請求項１又は請求項２の記載において、上記筐体は、周壁を有し、上記コネクタカバーのカバー部は、上記閉じ位置に回動された時に、上記筐体の周壁に連続することを特徴とする携帯形電子機器。
【請求項５】
請求項１又は請求項２の記載において、上記コネクタは、上記筐体の後端から後方に露出され、上記コネクタカバーは、上記カバー部が上記閉じ位置に回動された時に、上記コネクタを後方から覆い隠していることを特徴とする携帯形電子機器。
【請求項６】
請求項５の記載において、上記コネクタカバーのカバー部は、上記開き位置に回動された時に、上記コネクタの上下両側に回り込むことを特徴とする携帯形電子機器。
【発明の詳細な説明】
【０００１】
【発明の属する技術分野】
本発明は、ブック形のポータブルコンピュータやワードプロセッサのような携帯形の電子機器に関する。
【０００２】
【従来の技術】
ブック形のポータブルコンピュータは、持ち運びが容易で、商用電源を得られないような外出先でも、内蔵されたバッテリパックを電源とすることで自由に使用できるといった利点を有している。
【０００３】
ところで、この種のコンピュータは、携帯性を高めるためコンパクトに設計されているが故に、数多くの機能を標準でサポートすることができず、オプションという形態でユーザに機能の選択を委ねている。
【０００４】
具体的に述べると、従来のコンピュータは、キーボードやディスプレイユニットを支持する筐体の底面に、コンピュータの機能を拡張するためのコネクタを備えている。そして、コンピュータが装備していない機能を必要とする場合、従来では上記コネクタに外部拡張装置を接続するといった使用形態が採られている。
【０００５】
機能拡張用のコネクタは、外部拡張装置を接続して使用しない時にコネクタカバーによって覆われている。このコネクタカバーは、コネクタを覆う閉じ位置と、コネクタを露出させる開き位置とに亘って回動可能に筐体に支持されている。コネクタカバーが閉じ位置に回動された状態では、このコネクタカバーは筐体の底面に面一に連続している。コネクタカバーが閉じ位置から開き位置に回動されると、このコネクタカバーが筐体の下方に向けて張り出し、外部拡張装置の凹部に入り込むようになっている（例えば、特許文献１参照）。
【０００６】
【特許文献１】
実用新案登録第２５６７４４８号公報  （第３−４頁、図３）
【０００７】
【発明が解決しようとする課題】
従来のコネクタカバーは、一枚の平坦な板材にて構成され、上記閉じ位置に回動された時に、コネクタを完全に覆い隠せるような大きさを有している。このため、コネクタカバーが開き位置に回動された場合に、このコネクタカバーが筐体の外方に大きく突出することになり、外部拡張装置にコネクタカバーとの干渉を避ける専用の凹部を形成しなくてはならない。言い換えると、この凹部が存在しない外部拡張装置では、コネクタカバーが邪魔となってコンピュータとの接続が不可能となる。
【０００８】
コネクタカバーと外部拡張装置との干渉を避けるためには、コネクタカバーが開き位置に回動された時に、このコネクタカバーを筐体の内部に格納することが考えられる。
【０００９】
ところが、この構成によると、コネクタカバーは、コネクタを完全に覆い隠すに十分な大きさを有するので、このコネクタカバーが筐体の内部に大きく入り込んでしまう。この結果、筐体の内部に広い格納スペースを確保しなくてはならず、この筐体内の部品配置に無理が生じたり、筐体の大形化を余儀なくされるといった問題がある。この筐体の大形化は、近年求められているポータブルコンピュータの小形化に逆行することになり、特に携帯性が重要視されるポータブルコンピュータでは好ましくないものとなる。
【００１０】
本発明の目的は、コネクタカバーを筐体の内部に格納する場合に、この筐体の内部に必要とするコネクタカバーの格納スペースを極力少なくすることができ、筐体の小形化を実現できる携帯形電子機器を得ることにある。
【００１１】
【課題を解決するための手段】
上記目的を達成するため、本発明の一つの形態に係る携帯形電子機器は、
筐体と、
上記筐体に設けられたコネクタと、
上記コネクタを開閉可能に覆うコネクタカバーと、を具備している。
上記コネクタカバーは、一対のカバー部を有し、これらカバー部は、互いに並んで上記コネクタを覆う閉じ位置と、上記コネクタを間に挟んだ位置に回り込む開き位置とに亘って回動可能であることを特徴としている。
【００１２】
この構成によれば、各カバー部の形状がコンパクトとなるので、これらカバー部が開き位置に回動された状態でも、これらカバー部が筐体の内部に大きく入り込むことはない。このため、筐体の内部にカバー部を格納する広いスペースを確保する必要はなく、筐体の小形化が損なわれずに済む。
【００１３】
しかも、カバー部が閉じ位置から開き位置に回動された時点では、これらカバー部はコネクタを挟む位置に回り込むので、閉じ位置にあるカバー部とコネクタとの間に、このカバー部の回動を許容するスペースを確保する必要はない。このため、閉じ位置にあるカバー部とコネクタとを極力近づけることができ、この点でも筐体の小形化に寄与することになる。
【００１４】
【発明の実施の形態】
以下本発明の実施の形態を、ポータブルコンピュータに適用した図面にもとづいて説明する。
【００１５】
図１は、Ａ４サイズのブック形のポータブルコンピュータ１を示している。このコンピュータ１は、四角形箱状をなす筐体２を備えている。筐体２は、ロアハウジング３と、このロアハウジング３に取り外し可能に連結されたアッパハウジング４とを備えている。これらロアハウジング３およびアッパハウジング４は、ＡＢＳ樹脂のような合成樹脂材料にて構成されている。
【００１６】
ロアハウジング３は、平坦な底壁３ａと、この底壁３ａの左右両側部および前端部に連なる三つの周壁３ｂ，３ｃ，３ｄとを有する箱形状をなしている。アッパハウジング４は、平坦な上壁４ａと、この上壁４ａの前後両端部および左右両側部に連なる四つの周壁４ｂ，４ｃ，４ｄ，４ｅを有している。アッパハウジング４の前部および左右両側部の周壁４ｂ，４ｄ，４ｅは、ロアハウジング３の周壁３ｂ，３ｃ，３ｄに面一に連続している。そして、これら周壁３ｂ，３ｃ，３ｄおよび４ｂ，４ｄ，４ｅによって筐体２の前面および左右の側面が構成されている。
【００１７】
アッパハウジング４は、フロント部分６とリヤ部分７とに分割されている。リヤ部分７の上面には、キーボード装着部８と凸部９とが形成されている。図６に示すように、キーボード装着部８は、リヤ部分７の上面の略全面に亘る大きさを有する凹部にて構成され、この上面に開口された長方形状の導出口１０を有している。このキーボード装着部８は、前後左右の側壁８ａ〜８ｄと、これら側壁８ａ〜８ｄに連なる底壁８ｅとを有している。底壁８ｅは、導出口１０と対向しており、この底壁８ｅの中央部に筐体２の内部に連なる開口部１１が形成されている。
【００１８】
凸部９は、アッパハウジング４の全幅に亘って延びている。この凸部９は、リヤ部７の上面から上向きに延びる前面１２と、この前面１２の上端から後方に延びる上面１３と、この上面１３の後端から下向きに延びる後面１４とを有し、アッパハウジング４の下方に向けて開口された中空状をなしている。突部９の後面１４は、アッパハウジング４の後側の周壁４ｃに連なっている。
【００１９】
凸部９は、第１および第２の脚取り付け部１７ａ，１７ｂを有している。第１および第２の脚取り付け部１７ａ，１７ｂは、凸部９の幅方向に離間して配置されており、夫々凸部９の前方、上方および後方に連続して開放している。これら脚取り付け部１７ａ，１７ｂは、リヤ部分７の上面に連なる底面１８と、この底面１８に連なる左右の側面１９（一方のみを図示）とを有している。底面１８は、底部開口１８ａを有し、この底部開口１８ａは、筐体２の内部に連なっている。側面１９は、側部開口１９ａを有している。側部開口１９ａは、底部開口１８ａに連なるとともに、凸部９の内部に連なっている。
【００２０】
図１や図４に示すように、ロアハウジング３は、その前半部の左端部にバッテリ収容部２１を一体に備えている。バッテリ収容部２１は、底壁３ａに連なる左右の側壁２２ａ，２２ｂと、これら側壁２２ａ，２２ｂの後端部間を結ぶ後端壁２３と、これら後端壁２３および側壁２２ａ，２２ｂの上端に連なる天井壁２４とで定められており、ロアハウジング３の底面から前面に亘って連続して開放された凹部をなしている。これら各壁２２ａ，２２ｂ，２３および２４は、バッテリ収容部２１と筐体２の内部との間を仕切っている。後端壁２３には、複数の接点２５ａを有する電源コネクタ２５が配置されている。電源コネクタ２５は、バッテリ収容部２１に露出している。
【００２１】
バッテリ収容部２１には、バッテリパック２６が取り外し可能に収容されている。バッテリパック２６は、商用電源を得られない場所でコンピュータ１を使用する場合に、その駆動用電源となるもので、ロアハウジング３の前面側からバッテリ収容部２１に出し入れされるようになっている。バッテリパック２６をバッテリ収容部２１に収容すると、このバッテリパック２６の正負の端子（図示せず）が電源コネクタ２５の接点２５ａに接するようになっている。
【００２２】
図４に示すように、ロアハウジング３の前半部には、ハードディスク駆動装置２７と、フロッピーディスク駆動装置２８とが収容されている。ハードディスク駆動装置２７およびフロッピーディスク駆動装置２８は、バッテリ収容部２１の右側において、左右に並べて配置されている。ハードディスク駆動装置２７は、ブラケット２９に支持されており、このブラケット２９は、ロアハウジング３の底壁３ａから延びるボス部３０にねじ止めされている。
【００２３】
フロッピーディスク駆動装置２８は、箱形のケーシング３２を備えている。ケーシング３２は、ブラケット３３を介してロアハウジング３の底壁３ａにねじ止めされている。ケーシング３２の前面には、フロッピーディスクを出し入れするディスク挿入口３４と、フロッピーディスクを取り出す際に押圧するプッシュボタン３５とが配置されている。ケーシング３２は、ディスク挿入口３４やプッシュボタン３５をロアハウジング３の前方に向けた姿勢で、このロアハウジング３の内側に配置されている。このため、ロアハウジング３の前面には、ディスク挿入口３４やプッシュボタン３５を露出させる開口部３６が形成されている。
【００２４】
図３や図５に示すように、ロアハウジング３の後半部には、第１ないし第４の回路基板４０ａ〜４０ｄが収容されている。回路基板４０ａ〜４０ｄは、バッテリパック２６、ハードディスク駆動装置２７およびフロッピーディスク駆動装置２８の後方において、ロアハウジング３の底壁３ａと略平行な姿勢で、このロアハウジング３の厚み方向に間隔を存して積み上げられている。
【００２５】
第１の回路基板４０ａは、ロアハウジング３の略全幅に亘る長さを有する長方形状をなしている。第１の回路基板４０ａは、ロアハウジング３の底壁３ａ上のボス部４１にねじ４２を介して固定されている。第１の回路基板４０ａの上面と下面には、ＩＣチップに代表される多数の回路部品４３が実装されているとともに、この第１の回路基板４０ａの上面に電源コネクタ２５と第１のスタッキングコネクタ３９とが配置されている。そして、本実施形態の場合は、第１の回路基板４０ａがシステム基板となっており、この第１の回路基板４０ａの前端部にハードディスク駆動装置２７が中継コネクタ３８を介して接続されている。第１の回路基板４０ａの後端部には、金属製のコネクタパネル４４が取り付けられている。コネクタパネル４４は、第１の回路基板４０ａの全幅に亘る長さを有し、この回路基板４０ａから上向きに延びている。
【００２６】
図７に示すように、コネクタパネル４４には、外部ＣＲＴディスプレイを接続するためのＲＧＢコネクタ４５と、プリンタや外部フロッピーディスク駆動装置を接続するためのパラレルポート４６と、光ディスク装置や外部ハードディスク駆動装置のような高速のデータ転送を要求される周辺機器を接続するためのインターフェースコネクタ４７と、ＲＳ２３２Ｃ規格のインターフェースコネクタを有する周辺機器を接続するための接続ポート４８と、図示しない拡張ユニットを接続する際に使用する中継コネクタ４９とが支持されている。これら各種のポート４６，４８やコネクタ４５，４７，４９は、コネクタパネル４４の左右方向に一列に並んで配置されており、その中継コネクタ４９がコネクタパネル４４の略中央部に位置している。各種のポート４６，４８やコネクタ４５，４７，４９は、第１の回路基板４０ａの上面に電気的に接続されており、この回路基板４０ａとの接続部は、コネクタパネル４４によって後方から覆われている。
【００２７】
コネクタパネル４４は、第１の回路基板４０ａの下方に突出する脚部４４ａを有している。脚部４４ａは、ロアハウジング３の底壁３ａにねじ止めされている。そのため、コネクタパネル４４は、底壁３ａから上向きに延びており、このコネクタパネル４４に支持された各種のポート４６，４８やコネクタ４５，４７，４９は、ロアハウジング３の後端から後方に露出している。
【００２８】
コネクタパネル４４は、アッパハウジング４の凸部９の下方に位置している。コネクタパネル４４の上端部は、ロアハウジング３よりも上方に突出しており、このコネクタパネル４４の上端部に後方に延びるフランジ部５０ａと、このフランジ部５０ａの後端から上向きに延びる壁部５０ｂとが形成されている。フランジ部５０ａおよび壁部５０ｂは、コネクタパネル４４の略全幅に亘っている。
【００２９】
コネクタパネル４４の後面には、第１のコネクタカバー５１が取り付けられている。第１のコネクタカバー５１は、中継コネクタ４９を開閉可能に覆っている。第１のコネクタカバー５１は、上カバー部５１ａと下カバー部５１ｂとを有している。上下のカバー部５１ａ，５１ｂは、中継コネクタ４９の後方において互いに突き合わされる閉じ位置と、中継コネクタ４９の上下両側に回り込む開き位置とに亘って回動可能にコネクタパネル４４に支持されている。そして、これらカバー部５１ａ，５１ｂは、図示しないスプリングにより常時閉じ位置に向けて回動付勢され、中継コネクタ４９を後方から覆い隠している。
【００３０】
ロアハウジング３の後端部には、第２のコネクタカバー５２と第３のコネクタカバー５３とが取り付けられている。第２のコネクタカバー５２は、ＲＧＢコネクタ４５やパラレルポート４６を開閉するためのもので、これらＲＧＢコネクタ４５およびパラレルポート４６を後方から覆う閉じ位置と、ロアハウジング３の後方に倒れ込んで、ＲＧＢコネクタ４５およびパラレルポート４６を露出させる開き位置とに亘って回動可能にロアハウジング３に支持されている。
【００３１】
第３のコネクタカバー５３は、インターフェースコネクタ４７や接続ポート４８を開閉するためのもので、これらインターフェースコネクタ４７や接続ポート４８を後方から覆う閉じ位置と、ロアハウジング３の後方に倒れ込んで、インターフェースコネクタ４７や接続ポート４８を露出させる開き位置とに亘って回動可能にロアハウジング３に支持されている。
【００３２】
第２および第３のコネクタカバー５２，５３を閉じ位置に回動させた状態では、これらコネクタカバー５２，５３と第１のコネクタカバー５１とが面一に連続し、アッパハウジング４の後側の周壁４ｃと同一面上に位置するようになっている。
【００３３】
図３に示すように、第１の回路基板４０ａの上方に配置された第３の回路基板４０ｃは、第１の基板部５５と第２の基板部５６とを有している。第１の基板部５５は、第１の回路基板４０ａの上方からハードディスク駆動装置２７の上方に向けて前後方向に延びている。第１の基板部５５の上面には、各種の回路部品５７が実装されている。
【００３４】
第２の基板部５６は、第１の基板部５５の前端部からロアハウジング３の左右方向に延びている。第２の基板部５６の左右両端部は、バッテリ収容部２１およびフロッピーディスク駆動装置２８の上方に位置している。この第２の基板部５６の左右両端部は、バッテリ収容部２１の天井壁２４およびロアハウジング３のボス部３０に夫々ねじ止めされている。
【００３５】
第２の回路基板４０ｂは、第１の回路基板４０ａと第３の回路基板４０ｃとを電気的に接続する中継基板であって、これら第１の回路基板４０ａと第３の回路基板４０ｃの第１の基板部５５との間に配置されている。この第２の回路基板４０ｂの支持構造について、図９および図１０を加えて説明する。
【００３６】
第２の回路基板４０ｂは、第１および第３の回路基板４０ａ，４０ｃよりも遥かに小さな長方形板状をなしている。第２の回路基板４０ｂの上には、各種の回路部品５８が実装されている。また、第２の回路基板４０ｂには、フレキシブルな配線基板５９が接続されている。配線基板５９の一端には、第２のスタッキングコネクタ６０が接続されている。第２のスタッキングコネクタ６０は、第１の回路基板４０ａの上方から第１のスタッキングコネクタ３９に取り外し可能に嵌合し、この嵌合により、第１の回路基板４０ａと第２の回路基板４０ｂとが電気的に接続されている。この第２のスタッキングコネクタ６０は、第２の回路基板４０ｂと略同等の幅寸法を有している。
【００３７】
第２のスタッキングコネクタ６０の上面には、配線基板５９との接続部分を覆う硬質な補強板６１が取り付けられている。補強板６１は、第２のスタッキングコネクタ６０に沿って延びる細長い帯板状をなしている。この補強板６１と第２の回路基板４０ｂとは、金属製のブラケット６３を介して一体化されている。ブラケット６３は、第２の回路基板４０ｂを支持する第１の部分６４と、補強板６１の上面に重ね合わされる第２の部分６５と、これら第１の部分６４と第２の部分６５とを結ぶ第３の部分６６（図３に示す）とを一体に有している。
【００３８】
ブラケット６３の第１の部分６４は、第２の回路基板４０ｂの下面に張り付けられて、この第２の回路基板４０ｂと一体化されている。第１の部分６４と第２の部分６５とは、図３に示すように、第３の部分６６の高さ分だけ上下方向に段差を存して位置されており、第１の部分６４が第２の部分６５よりも第１の回路基板４０ａ側にずれた低い位置に配置されている。
【００３９】
このため、第２の回路基板４０ｂと補強板６１とは、略同一高さに位置されている。そして、第１の部分６４を含む第２の回路基板４０ｂの後端部には、夫々左右一対のねじ挿通孔６７ａ，６７ｂと嵌合孔６８ａ，６８ｂとが開口されている。
【００４０】
図３に示すように、第２の回路基板４０ｂの後端部は、コネクタパネル４４の直前に位置している。このコネクタパネル４４の前面に支持金具７１が固定されている。支持金具７１は、溶接あるいはかしめ等の手段によりコネクタパネル４４と一体化されている。この支持金具７１は、図９に最も良く示されるように、第２の回路基板４０ｂの後端部を支持する基板受け部７２を備えている。基板受け部７２は、第２の回路基板６０ｂと略同等の幅寸法を有し、第１の回路基板４０ａの上方において、コネクタパネル４４の前方に向けて突出されている。そして、この基板受け部７２の上面にブラケット６３の第１の部分６４の後端部が重ね合わされている。
【００４１】
基板受け部７２は、その左右両端部に上向きに延びる嵌合片７３ａ，７３ｂとねじ孔７４ａ，７４ｂとを備えている。嵌合片７３ａ，７３ｂは、基板受け部７２の上面にブラケット６３の第１の部分６４を重ね合わせた時に、上記嵌合孔６８ａ，６８ｂに嵌合するようになっている。この嵌合により、基板受け部７２と第２の回路基板４０ｂおよびブラケット６３との位置合わせがなされ、第２の回路基板４０ｂのねじ挿通孔６７ａ，６７ｂがねじ孔７４ａ，７４ｂと合致するようになっている。そのため、第２の回路基板４０ｂの後端部は、ねじ挿通孔６７ａ，６７ｂに夫々ねじ７５を挿通し、これらねじ７５をねじ孔７４ａ，７４ｂにねじ込むことで、基板受け部７２に固定される。
【００４２】
このことから、第２の回路基板４０ｂは、補強板６１とコネクタパネル４４の支持金具７１との間に亘って掛け渡されている。
【００４３】
図３に示すように、第２の回路基板４０ｂの上面に第３のスタッキングコネクタ７８が配置されている。第３のスタッキングコネクタ７８は、補強板６１に隣接した第２の回路基板４０ｂの前端部において、この第２の回路基板４０ｂの幅方向に沿って延びている。また、第３の回路基板４０ｃの第１の基板部５５の下面には、第４のスタッキングコネクタ７９が配置されている。第４のスタッキングコネクタ７９は、第２の回路基板４０ｂの上方から第３のスタッキングコネクタ７８に取り外し可能に嵌合されており、この嵌合により、第２の回路基板４０ｂと第３の回路基板４０ｃとが電気的に接続されている。
【００４４】
図５や図６に示すように、第１の基板部５５の後半部は、ロアハウジング３にアッパハウジング４を被せた時に、そのキーボード装着部８の開口部１１に臨んでいる。この場合、キーボード装着部８の底壁８ｅは、開口部１１の左右両側部から下向きに延びる支持壁１１ａ，１１ｂを備えている。これら支持壁１１ａ，１１ｂの下端部は、第１の基板部５５の左右両側部に引っ掛かっており、第１の基板部５５の浮き上がりを抑えている。
【００４５】
第４の回路基板４０ｄは、メモリ基板であり、その上面にメモリカードが接続されるカードコネクタ８１を有している。図５に示すように、第４の回路基板４０ｄは、第２の回路基板４０ｂの右側に配置されているとともに、第１の回路基板４０ａの略右半分の上方において、この第１の回路基板４０ａと略平行に配置されている。
【００４６】
この場合、第１の回路基板４０ａの右端部の上面には、第５のスタッキングコネクタ８２が配置されている。第５のスタッキングコネクタ８２と対向し合う第４の回路基板４０ｄの下面には、第６のスタッキングコネクタ８３が配置されている。第６のスタッキングコネクタ８３は、第５のスタッキングコネクタ８２に嵌合されており、この嵌合により、第１の回路基板４０ａと第４の回路基板４０ｄとが電気的に接続されている。
【００４７】
図９に示すように、第４の回路基板４０ｄの左端部の後端は、基板受け部７２の右端部に重ね合わされ、ここにねじ８４を介して止められている。また、この第４の回路基板４０ｄの左端部は、ブラケット６３に隣接している。本実施形態の場合、ブラケット６３の第２の部分６５は、図９に示すように、右側方に向って延びる支持片８６を一体に備えている。支持片８６は、第４の回路基板４０ｄの左端部の前端と対向し合い、この支持片８６の上面に第４の回路基板４０ｄの左端部の前端が重ね合わされている。
【００４８】
このため、第４の回路基板４０ｄは、その右端部が第５および第６のスタッキングコネクタ８２，８３を介して支持されているとともに、左端部がブラケット８６および支持金具７１を介して支持されている。
【００４９】
第４の回路基板４０ｄは、フロッピーディスク駆動装置２８の後方に位置している。このフロッピーディスク駆動装置２８の上方には、図６に示すように、第５の回路基板８７が配置されている。第５の回路基板８７は、音響基板であり、第４の回路基板４０ｄの前方に隣接して配置されている。
【００５０】
図４に示すように、第３の回路基板４０ｃの第２の基板部５６は、アッパハウジング４のフロント部分６の下方に位置している。第２の基板部５６の左端部は、筐体２の左側面に隣接する位置まで延長されており、この第２の基板部５６とフロント部分６との間には、第１のカード収容部９１が形成されている。
【００５１】
第１のカード収容部９１は、アプリケーションプログラムが格納されたＩＣメモリーカードのようなカード状電子部品９２（図１２に示す）を収容するためのものであり、バッテリ収容部２１の上方に位置している。この第１のカード収容部９１は、カード状電子部品９２が抜き差し可能に挿入されるカード挿入口９３を備えている。カード挿入口９３は、筐体２の左側面に開口されている。このカード挿入口９３は、図１２や図１３に示すように、筐体２の左側面と前面とで規定される角部に隣接している。そして、ロアハウジング３の左側面には、カード挿入口９３を開閉する第１のカードカバー９４が取り付けられている。
【００５２】
第１のカード収容部９１に臨む第２の基板部５６の上面には、一対のガイドレール９５ａ，９５ｂと、これらガイドレール９５ａ，９５ｂの一端部に連なる第１のコネクタ９６とが取り付けられている。ガイドレール９５ａ，９５ｂは、カード挿入口９３に隣接する位置から第１のカード収容部９１の終端に向けて延びており、夫々カード状電子部品９２の両側部が摺動可能に嵌合されるガイド溝９７を有している。ガイド溝９７は、カード状電子部品９２を第１のカードコネクタ９６に導くためのものであり、このガイド溝９７は、ガイドレール９５ａ，９５ｂのカード挿入口９３と対向し合う他端部に開口している。
【００５３】
第１のコネクタ９６は、従来周知のものと同様の構成であり、カード挿入口９３と対向し合う部分に多数のピン端子（図示せず）を有している。この第１のコネクタ９６にカード状電子部品９２を接続した状態では、このカード状電子部品９２は、カード挿入口９３から突出することなく、第１のカード収容部９１に完全に入り込むようになっている。そして、この第１のコネクタ９６の上面からガイドレール９５，９５ｂの上面に亘る範囲には、金属製の支持プレート９８が取り付けられている。
【００５４】
図４に示すように、第２の基板部５６の右端部には、金属製のシールド板１００が取り付けられている。シールド板１００は、筐体２の右側面に隣接する位置まで延長されており、このシールド板１００の右端部は、フロッピーディスク駆動装置２８のブラケット３３の上面に止められている。
【００５５】
このシールド板１００とフロント部分６との間には、第２のカード収容部１０１が形成されている。第２のカード収容部１０１は、カード状電子部品９２およびこのカード状電子部品９２とは規格の異なる他のカード状電子部品（図示せず）を収容するためのものであり、フロッピーディスク駆動装置２８の上方に位置している。
【００５６】
この第２のカード収容部１０１は、カード状電子部品が抜き差し可能に挿入されるカード挿入口１０２を備えている。カード挿入口１０２は、筐体２の右側面に開口されている。このカード挿入口１０２は、図１１に示すように、筐体２の右側面と前面とで規定される角部に隣接している。そして、ロアハウジング３の右側面には、カード挿入口１０２を開閉する第２のカードカバー１０３が取り付けられている。
【００５７】
第２のカード収容部１０１には、第１のカード収容部９１と同様に、カード状電子部品の挿入をガイドする一対のガイドレール１０４（一方のみを図示）と、カード状電子部品が取り外し可能に接続される第２のコネクタ１０５とが配置されている。ガイドレール１０４は、シールド板１００の上面から第２の基板部５６の下面に亘って取り付けられている。また、第２のコネクタ１０５は、第２の基板部５６の右端部に取り付けられ、カード挿入口１０２と対向している。
【００５８】
第１および第２のカード収容部９１，１０１には、夫々カード状電子部品９２を排出するためのイジェクタ１１０が配置されている。各カード収容部９１，１０１のイジェクタ１１０は、略同一の構造を有しており、本実施形態では、第１のカード収容部９１のイジェクタ１１０を代表して説明する。
【００５９】
図１２に示すように、イジェクタ１１０は、支持プレート９８の下面に支持されたスライド板１１１と、オペレータが指先で操作する操作レバー１１２と、これらスライド板１１１と操作レバー１１２とを連係させる連係機構１１３とを備えている。
【００６０】
スライド板１１１は、ガイドレール９５ａ，９５ｂの間において、カード状電子部品９２の挿入方向にスライド可能に支持プレート９８に支持されている。このスライド板１１１は、下向きに延びる一対の押圧片１１５ａ，１１５ｂを備えている。押圧片１１５ａ，１１５ｂは、第１のコネクタ９６の直前に配置されており、カード状電子部品９２を第１のカード収容部９１に挿入した際に、その挿入先端部に接するようになっている。
【００６１】
連係機構１１３は、合成樹脂製のベース１１７と、このベース１１７の上面に支持されたスライダ１１８と、このスライダ１１８とスライド板１１１とを連結する回動レバー１１９とを備えている。ベース１１７は、一方のガイドレール９５ａとアッパハウジング４のフロント部分６の前面との間に配置されており、このフロント部分６の前面に沿って左右方向に延びる細長い板状をなしている。このベース１１７は、第２の基板部５６と共にバッテリ収容部２１の天井壁２４にねじ止めされている。
【００６２】
図１５に示すように、ベース１１７の上面は、平坦なスライドガイド面１２０をなしており、このスライドガイド面１２０にばね受け１２１と一対の係合突起１２２ａ，１２２ｂとが配置されている。ばね受け１２１は、スライドガイド面１２０の左右方向に沿う中間部において上向きに延びている。このばね受け１２１は、その上端に開口するガイド溝１２３を有している。係合突起１２２ａ，１２２ｂは、左右方向に離間して配置されており、スライドガイド面１２０の上方に向けて突出している。
【００６３】
スライダ１１８は、スライドガイド面１２０に左右方向にスライド可能に載置される底壁１２５と、この底壁１２５に連なる第１の側壁１２６ａと第２の側壁１２６ｂとを有している。底壁１２５には、左右方向に延びる一対の係合孔１２７ａ，１２７ｂが形成されている。係合孔１２７ａ，１２７ｂは、左右方向に離間して配置されており、これら係合孔１２７ａ，１２７ｂに係合突起１２２ａ，１２２ｂがスライド可能に係合されている。この係合により、スライダ１１８がベース１１７に左右方向にスライド可能に支持されている。
【００６４】
底壁１２５の一端部に座部１３０が一体に形成されている。座部１３０の上面には、係合凸部１３１が突設されている。底壁１２５の座部１３０とは反対側の他端部には、ロック部１３２が一体に形成されている。このロック部１３２は、上下方向に延びるロック壁１３２ａを有している。
【００６５】
回動レバー１１９は、座部１３０とスライド板１１１との間に架設されている。回動レバー１１９は、その中間部が支持プレート９８に回動可能に枢支されている。この回動レバー１１９の一端は、スライド板１１１に連結されている。回動レバー１１９の他端は、一方のガイドレール９５ａの前方に導出されている。回動レバー１１９の他端には、連結孔１３３が開口されており、この連結孔１３３に係合凸部１３１が回動可能に嵌合されている。
【００６６】
このため、スライダ１１８を左右にスライドさせると、回動レバー１１９が支持プレート９８との連結部を支点に回動し、この回動により、スライド板１１１がスライダ１１８とは逆方向にスライドされるようになっている。したがって、スライダ１１８は、スライド板１１１の押圧片１１５ａ，１１５ｂを第１のコネクタ９６の直前に位置させる待機位置と、押圧片１１５ａ，１１５ｂをカード状電子部品９２の挿入先端に向けて押し出す押圧位置とに亘ってスライドされる。
【００６７】
スライダ１１８の第１の側壁１２６ａと第２の側壁１２６ｂとは、フロント部分６の前面と一方のガイドレール９５ａとの間で互いに対向している。第１の側壁１２６ａは、フロント部分６の前面の内側に位置されており、この第１の側壁１２６ａの前面に操作レバー１１２が一体に形成されている。
【００６８】
図１１に示すように、フロント部分６の前面には、左右方向に延びる通孔１３５が開口されている。この通孔１３５は、スライダ１１８のスライド方向に沿う長孔状をなしている。そして、第１の側壁１２６ａは、フロント部分６の内側から通孔１３５を覆っており、この通孔１３５を介して操作レバー１１２がフロント部分６の前面に露出されている。
【００６９】
スライダ１１８の第２の側壁１２６ｂは、この側壁１２６ｂと平行に延びる棒状のガイド部１３７を一体に備えている。ガイド部１３７の先端は、ばね受け１２１のガイド溝１２３を摺動可能に貫通しており、このガイド部１３７の外周に圧縮コイルばね１３８が装着されている。圧縮コイルばね１３８は、第２の側壁１２６ｂの端部とばね受け１２１との間で圧縮されている。この圧縮により、スライダ１１８は、上記待機位置に向けて押圧され、常時この待機位置に保持されている。
【００７０】
図１５に示すように、ベース１１７は、スライダ１１８の座部１３０とは反対側の端部に支持片１４１を一体に備えている。支持片１４１は、上向きに延びるとともに、筐体２の前後方向に沿って延びている。この支持片１４１には、スライダ１１８のスライドを制限する合成樹脂製のロックレバー１４３が支持されている。
【００７１】
ロックレバー１４３は、指掛け部１４４を有している。指掛け部１４４には、装着溝１４５が形成されており、この装着溝１４５に支持片１４１が前後方向にスライド可能に嵌合されている。指掛け部１４４には、ロック片１４６が一体に形成されている。ロック片１４６は、スライダ１１８が待機位置にスライドされている時に、このスライダ１１８のロック壁１３２ａと対向し合うようになっている。
【００７２】
このため、ロックレバー１４３は、そのロック片１４６がスライダ１１８のロック壁１３２ａに引っ掛かるロック位置と、ロック片１４６がロック壁１３２ａから離脱する解除位置とに亘ってスライド可能にベース１１７に支持されている。このロックレバー１４３のスライド方向は、スライダ１１８のスライド方向と直交している。
【００７３】
図１６に示すように、指掛け部１４４は、フロント部分６の前面と左側面とで規定される角部に位置している。この角部には、指掛け部１４４を露出させる開口部１５０が形成されている。開口部１５０は、フロント部分６の前面から左側面に連続して開口され、カード挿入口９３に連なっている。
【００７４】
指掛け部１４４は、フロント部分６の左側面に連なる第１の面１５１と、フロント部分６の前面に連なる第２の面１５２とを有している。これら第１および第２の面１５１，１５２は、フロント部分６の角部の曲率に沿うように、円弧を描いて連続している。第１の面１５１および第２の面１５２は、ロックレバー１４３がロック位置にスライドされている状態において、フロント部分６の左側面および前面に連なっており、このフロント部分６の一部となっている。ロックレバー１４３をロック解除位置にスライドさせると、図１７に示すように、第２の面１５２がフロント部分６の前面から筐体２の前方に向けて突出するようになっている。
【００７５】
図１２に示すように、ロックレバー１４３の指掛け部１４４は、カード挿入口９３に臨む端部に金属製の抜け止め片１５５を備えている。抜け止め片１５５は、ロックレバー１４３をロック位置にスライドさせた時に、カード挿入口９３内に進出し、第１のカード収容部９１に収容されたカード状電子部品９２の挿入後端と対向し合うようになっている。
【００７６】
このような構成のイジェクタ１１０によれば、カード状電子部品９２を第１のカード収容部９１に収容した状態において、図１４に示すように、ロックレバー１４３をロック位置にスライドさせると、そのロック片１４６がスライダ１１８のロック壁１３２ａに引っ掛かる。この場合、ロック片１４６は、スライダ１１８のスライド方向とは直交する方向からロック壁１３２ａに引っ掛かるので、このロック片１４６によってスライダ１１８のスライドが拘束される。
【００７７】
そのため、カード状電子部品９２を第１のコネクタ９６に接続して使用している時に、誤って操作レバー１１２を押圧位置に向けて押圧したとしても、この操作レバー１１２と一体のスライダ１１８の動きが拘束されているので、操作レバー１１２を押圧位置に向けてスライドさせることができない。このことから、スライダ１１８やスライド板１１１は静止状態を保ち、カード状電子部品９２が第１のカード収容部９１から押し出されずに済む。
【００７８】
このイジェクタ１１０によると、ロックレバー１４３の存在により、操作レバー１１２の押圧力がカード状電子部品９２に伝わらずに済むので、カード状電子部品９２や第１のコネクタ９６に無理な力を生じさせることなく、このカード状電子部品９２の押し出しを防止することができる。したがって、付加価値の高いカード状電子部品９２や第１のコネクタ９６の破損を防止できる。
【００７９】
また、同様にスライド板１１１の押圧片１１５ａ，１１５ｂを初めとして、スライド板１１１と回動レバー１１９との連結部およびスライダ１１８の座部１３０と回動レバー１１９との連結部にも無理な力が加わらずに済み、イジェクタ１１０の破損も防止することができる。
【００８０】
さらに、ロックレバー１４３をロック位置にスライドさせると、抜け止め片１５５がカード挿入口９３内に進出し、カード状電子部品９２の挿入後端と対向し合う。このため、抜け止め片１５５によってカード状電子部品９２を第１のカード収容部９１に抜け止め保持することができ、操作レバー１１２のスライドが拘束されることと合わせて、カード状電子部品９２の不所望な押し出しを二重に防止することができる。
【００８１】
一方、第１のカード収容部９１に収容されたカード状電子部品９２を取り出すには、まず、ロックレバー１４３をロック解除位置に向けてスライドさせ、スライダ１１８のロックを解除する。そして、筐体２の前面に露出されている操作レバー１１２を待機位置から押圧位置に向けて右側にスライドさせる。すると、図１２の矢印に示すように、回動レバー１１９が反時計回り方向に回動し、スライド板１１１がカード状電子部品９２に向けて左側にスライドする。このスライドにより、カード状電子部品９２が押圧片１１５ａ，１１５ｂによって押圧され、このカード状電子部品９２が第１のコネクタ９６から離脱する方向に押し出される。
【００８２】
この結果、カード状電子部品９２の端部がカード挿入口９３から筐体２の外方に突出するので、この突出部分を指先で掴んでカード挿入口９３から引き出す。これにより、カード状電子部品９２を第１のカード収容部９１から取り出すことができる。
【００８３】
ロックレバー１４３をロック解除位置にスライドさせると、図１７に示すように、ロックレバー１４３の第２の面１５２がフロント部分６の角部から前方に向けて突出する。このため、ロックレバー１４３の第２の面１５２とフロント部分６の前面とが不連続となり、このフロント部分６の角部に段差が生じるので、オペレータは、操作レバー１１２がロックされているか否かを、カード挿入口９３の開口部分を覗き込むことなくコンピュータ１の前方から容易に認識することができる。
【００８４】
そして、この場合、ロックレバー１４３は、フロント部分６の前方に突出するので、このフロント部分６の内部にロックレバー１４３のスライドを許容するようなスペースを確保する必要はなく、その分、筐体２の小形化が可能となる。
【００８５】
しかも、イジェクタ１１０の操作レバー１１２は、図１からも明らかなように、筐体２の前面に露出されているので、この操作レバー１１２がオペレータの手元側に位置される。このため、コンピュータ１の操作中、操作レバー１１２がオペレータの視野の範囲内に位置し、オペレータは、操作レバー１１２の位置をその都度確認しなくとも、この操作レバー１１２をスライド操作することができる。
【００８６】
また、上記構成のイジェクタ１１０によると、そのベース１１７やスライダ１１８は、第１のカード収容部９１の一方のガイドレール９５ａとアッパハウジング４の前面との間のデッドスペースに収められているので、筐体２の内部に広いスペースを新たに確保する必要はなく、筐体２のコンパクト化に寄与する。
【００８７】
加えて、操作レバー１１２をロックするロックレバー１４３は、連係機構１１３のベース１１７に支持されているので、このロックレバー１４３と連係機構１１３とを一つのユニットとして組み立てることができる。そのため、ロックレバー１４３と連係機構１１３とを一度にロアハウジング３に組み込むことができ、コンピュータ１の組み立て作業を容易に行うことができる。
【００８８】
ところで、図１に示すように、筐体２は、ディスプレイユニット１６１を支持している。ディスプレイユニット１６１は、薄い箱状をなすハウジング１６２と、このハウジング１６２に収容された液晶ディスプレイ１６３とを備えている。ハウジング１６２は、フロントハウジング１６４とリヤハウジング１６５とに分割されており、このフロントハウジング１６４に液晶ディスプレイ１６３を露出させる開口部１６６が形成されている。
【００８９】
ハウジング１６２は、第１の枢支用脚部１６８と、第２の枢支用脚部１６９とを備えている。第１および第２の枢支用脚部１６８，１６９は、フロントハウジング１６４に連なるフロント部分１７０と、リヤハウジング１６５に連なるリヤ部分１７１とを互いに突き合わせて構成されている。これら枢支用脚部１６８，１６９は、ハウジング１６２の内部に連なる中空の筒状をなしている。
【００９０】
第１および第２の枢支用脚部１６８，１６９は、夫々アッパハウジング４の脚取り付け部１７ａ，１７ｂに位置するようになっている。第１および第２の枢支用脚部１６８，１６９は、第１および第２の脚取り付け部１７ａ，１７ｂの側面１９と対向し合う左右の脚側面１７５ａ，１７５ｂを有している。そして、第１の枢支用脚部１６８の左側の脚側面１７５ａと第２の枢支用脚部１６９の右側の脚側面１７５ｂには、夫々連通孔１７６が開口されている。連通孔１７６は、脚取り付け部１７ａ，１７ｂの側部開口１９ａに連なっている。
【００９１】
図１８ないし図２０に示すように、第１および第２の枢支用脚部１６８，１６９は、第１のヒンジ装置１７７および第２のヒンジ装置１７８を介してロアハウジング３に支持されている。ヒンジ装置１７７，１７８は、ヒンジ軸１７９，１８０と、ヒンジ軸１７９，１８０の一端に固定された第１のブラケット１８１，１８２と、ヒンジ軸１７９，１８０の他端に軸回り方向に回動可能に連結された第２のブラケット１８３，１８４と、ヒンジ軸１７９，１８０の自由な回動を制限する複数のスプリングワッシャ１８５とを備えている。このようなヒンジ装置１７７，１７８は、第１および第２の枢支用脚部１６８，１６９の左右外側に配置されている。
【００９２】
ヒンジ軸１７９，１８０は、脚取り付け部１７ａ，１７ｂと枢支用脚部１６８，１６９との間に跨がって配置されている。そのため、ヒンジ軸１７９，１８０は、脚取り付け部１７ａ，１７ｂの側面１９と枢支用脚部１６８，１６９の夫々外側の脚側面１７５ｂ，１７５ａを貫通している。ヒンジ軸１７９，１８０の一端は、枢支用脚部１６８，１６９の内側に導入されており、このヒンジ軸１７９，１８０の一端に連なる第１のブラケット１８１，１８２が、夫々ねじ１８６を介してリヤハウジング１６５の内面および各枢支用脚部１６８，１６９のリヤ部分１７１の内面に固定されている。第２のブラケット１８３，１８４は、第１の回路基板４０ａと共にロアハウジング３の底壁３ａにねじ止めされている。
【００９３】
第１のブラケット１８１，１８２および第２のブラケット１８３，１８４をリヤハウジング１６５やロアハウジング３に固定した状態では、ヒンジ軸１７９，１８０が互いに同軸状に配置されており、これらヒンジ軸１７９，１８０がディスプレイユニット１６１の回動支点となっている。
【００９４】
このため、ディスプレイユニット１６１は、図２に示すように、筐体２を上方から覆う第１の位置と、液晶ディスプレイ１６３をキーボード装着部８の後方で起立させる第２の位置と、筐体２の後方に向けて略水平に近い角度にまで倒れ込む第３の位置とに亘って回動可能に筐体２に支持されている。ディスプレイユニット１６１を第１の位置に回動させた状態では、このディスプレイユニット１６１のハウジング１６２が筐体２の前面や左右の側面および凸部９の上面１３に略面一に連続し、コンピュータ１が携帯に便利な箱形状をなすようになっている。
【００９５】
図１９や図２０に示すように、第１のヒンジ装置１７７の第１のブラケット１８１は、第１の枢支用脚部１６８の内部において、その右半分に位置している。この第１のブラケット１８１の左側に開いたスペースには、円筒状のマイクロホン１９１が配置されている。マイクロホン１９１は、例えばオペレータの音声を収録するためのもので、合成樹脂製のホルダ１９２に支持されている。ホルダ１９２は、リヤ部分１７１の内面と対向し合う壁部１９３を有し、この壁部１９３に上下一対の係合孔１９４ａ，１９４ｂが開口されている。これら係合孔１９４ａ，１９４ｂには、リヤ部分１７１の内面から延びる係合突起１９５ａ，１９５ｂが差し込まれており、これにより、マイクロホン１９１がリヤ部分１７１の内面に支持されている。
【００９６】
図１８および図１９に示すように、第１のブラケット１８１は、ねじ挿通孔１８１ａを有している。このねじ挿通孔１８１ａは、マイクロホン１９１の右側に位置している。
【００９７】
図１８ないし図２０に示すように、マイクロホン１９１には、コネクタ１９６を有するケーブル１９７が接続されている。ケーブル１９７は、第１の枢支用脚部１６８の左側の脚側面１７５ａに開口された連通孔１７６および脚取り付け部１７ａの側部開口１９ａを通じて筐体２の内部に導かれている。そして、ケーブル１９７は、筐体２の内部において、第４の回路基板４０ｄの上方を通して第５の回路基板８７にまで引き回されており、このケーブル１９７の先端のコネクタ１９６が第５の回路基板８７に接続されている。
【００９８】
図２２に示すように、リヤ部分１７１に突き合わされるフロント部分１７０には、第１の通孔１９８ａと第２の通孔１９８ｂとが左右に並んで開口されている。第１の通孔１９８ａは、マイクロホン１９１と対向している。第２の通孔１９８ｂは、第１のブラケット１８１のねじ挿通孔１８１ａと対向している。この第２の通孔１９８ｂには、図２２に示すように、ねじ２０１が挿通されている。このねじ２０１は、ねじ挿通孔１８１ａを貫通してリヤ部分１７１にねじ込まれている。このねじ込みにより、第１の枢支用脚部１６８のフロント部分１７０とリヤ部分１７１とが互いに結合されている。
【００９９】
フロント部分１７０の前面には、第１および第２の通孔１９８ａ，１９８ｂやねじ２０１を覆い隠す化粧パネル１９９が取り付けられている。化粧パネル１９９は、多数の小孔２００を有し、これら小孔２００は、第１の通孔１９８ａとの対向部に位置している。
【０１００】
図２０に示すように、第２の枢支用脚部１６９の内側には、液晶ディスプレイ１６３に連なるケーブル２０２が導かれている。ケーブル２０２は、第２の枢支用脚部１６９の右側の脚側面１７５ｂに開口された連通孔１７６および第２の脚取り付け部１７ｂの側部開口１９ａを通じて凸部９の内部に導かれている。ケーブル２０２は、凸部９の内部から第２の回路基板４０ｂの上面に導かれており、このケーブル２０２の先端のコネクタ２０３が第２の回路基板４０ｂに接続されている。そして、ケーブル２０２の凸部９への導入部には、円筒状のコア２０４が装着されている。
【０１０１】
図３や図１８に示すように、筐体２の凸部９は、アイコン装着口２０５を備えている。アイコン装着口２０５は、凸部９の内部に開口されており、このアイコン装着口２０５にアイコン２０６が配置されている。アイコン２０６は、第１の脚取り付け部１７ａと第２の脚取り付け部１７ｂとの間に位置している。このアイコン２０６は、透光性を有する合成樹脂製のアイコン基板２０７を備えている。アイコン基板２０７は、アイコン装着口２０５に接着等の手段により固着されている。
【０１０２】
アイコン基板２０７は、凸部９の外方に露出する表示面２０８を備えている。表示面２０８は、凸部９の前面１２に面一に連続する第１の面２０８ａと、凸部９の上面１３に面一に連続する第２の面２０８ｂとを有している。この表示面２０８の上には、コンピュータ１の動作状態や機能の内容を図柄で表示する複数の表示マーク２０９が描かれている。表示マーク２０９は、凸部９の左右方向に間隔を存して配置されている。そして、表示マーク２０９は、第１の面２０８ａと第２の面２０８ｂとに亘っており、図２に示すように、ディスプレイユニット１６１を第１の位置に回動させた状態でも、凸部９の上面１３と共にコンピュータ１の上方に露出するようになっている。
【０１０３】
図３、図１９ないし図２１に示すように、アッパハウジング４の凸部９とロアハウジング３の後端部との間には、合成樹脂製のホルダ２１１が配置されている。ホルダ２１１は、第１および第２のカバー２１２，２１３と，これらカバー２１２，２１３の間を結ぶ連結部２１４とを一体に備えている。
【０１０４】
第１および第２のカバー２１２，２１３は、第１および第２の脚取り付け部１７ａ，１７ｂの底部開口１８ａをアッパハウジング４の内側から覆っており、このアッパハウジング４の上面に略面一に連続している。第１および第２のカバー２１２，２１３は、その左右両端部に夫々上向きに延びる側壁２１５ａ，２１５ｂを備えている。側壁２１５ａ，２１５ｂは、第１および第２の脚取り付け部１７ａ，１７ｂの側部開口１９ａに嵌合しており、この側部開口１９ａと協働して脚取り付け部１７ａ，１７ｂの側面１９にケーブル１９７，２０２を通すケーブル通路２１６を構成している。（図１８を参照）
第１および第２のカバー２１２，２１３の底面には、下向きに延びる左右一対の位置決め突部２１２ａ，２１２ｂ、２１３ａ，２１３ｂが一体に形成されている。また、図７に示すように、第１および第２のカバー２１２，２１３の後端部には、下向きに延びる後端壁２１７，２１８が形成されており、これら後端壁２１７，２１８は、位置決め突部２１２ａ，２１２ｂ、２１３ａ，２１３ｂに連なっている。
【０１０５】
図２１に示すように、ホルダ２１１の連結部２１４は、第１ないし第４の部品受け部２２０ａ〜２２０ｄを有している。第１ないし第３の部品受け部２２０ａ〜２２０ｃは、第１および第２のカバー２１２，２１３の間において、左右方向に並んで配置されているとともに、第４の部品受け部２２０ｄは、第３の部品受け部２２０ｃの直後に配置されている。
【０１０６】
このホルダ２１１は、図３や図７に示すようにコネクタパネル４４のフランジ部５０ａの上面に重ね合わされている。この場合、第１および第２のカバー２１２，２１３の位置決め突部２１２ａ，２１２ｂ、２１３ａ，２１３ｂが、フランジ部５０に形成したスリット（図示せず）に挿通されており、この挿通により、ロアハウジング３に対するホルダ２１１の左右方向の位置決めがなされている。また、第１および第２のカバー２１２，２１３の後端壁２１７，２１８は、フランジ部５０ａに連なる壁部５０ｂの後面に被さっており、このことにより、ロアハウジング３に対するホルダ２１１の前後方向の位置決めがなされている。
【０１０７】
ホルダ２１１の第１および第２のカバー２１２，２１３は、アッパハウジング４のリヤ部分７をロアハウジング３に被せることによって第１および第２の脚取り付け部１７ａ，１７ｂの底部開口１８ａに入り込み、この底部開口１８を閉塞する。そして、この時、第１および第２のカバー２１２，２１３の側壁２１５ａ，２１５ｂが第１および第２の脚取り付け部１７ａ，１７ｂの側部開口１９ａに嵌合し、この第１および第２のカバー２１２，２１３がコネクタパネル４４とアッパハウジング４のリヤ部分７との間で挾み込まれる。
【０１０８】
アッパハウジング４のリヤ部分７をロアハウジング３に被せると、連結部２１４が凸部９の下端に位置される。この連結部２１４は、図３に示すように、凸部９の内面との間に収容空間２１９を構成している。収容空間２１９は、第１の脚取り付け部１７ａ，１７ｂの間に位置しており、この収容空間２１９に第１ないし第４の部品受け部２２０ａ〜２２０ｄが位置している。
【０１０９】
図２０や図２１に示すように、ホルダ２１１の第１ないし第３の各部品受け部２２０ａ〜２２０ｃには、夫々ケーブル２０２のコア２０４、レジューム機能を設置するための円筒状のサブバッテリ２２１および円盤状のスピーカ２２２が配置されている。コア２０４やサブバッテリ２２１を受ける第１および第３の部品受け部２２０ａ，２２０ｃは、上方に向けて開口された凹状をなしており、これら部品受け部２２０ａ，２２０ｃにコア２０４およびサブバッテリ２２１が嵌合保持されている。
【０１１０】
スピーカ２２２を受ける第２の部品受け部２２０ｂは、複数の係合片２２３を一体に有している。係合片２２３は、スピーカ２２２の上下端部に係脱可能に係合している。この係合により、スピーカ２２２が第２の部品受け部２２０ｂに略起立した姿勢で保持されている。
【０１１１】
第４の部品受け部２２０ｄは、図３に示すように、アイコン基板２０７の下方に位置している。この第４の部品受け部２２０ｄには、ダイオード基板２２５が支持されている。この第４の部品受け部２２０ｄは、複数の係合片２２６を有し、これら係合片２２６がダイオード基板２２５の角部や周縁部に係脱可能に係止されている。この係合により、ダイオード基板２２５は、略起立した姿勢で第４の部品受け部２２０ｄに支持されており、このダイオード基板２２５の前面がアイコン基板２０７に近接している。
【０１１２】
ダイオード基板２２５の前面には、フレキシブルな配線基板２２８が貼り付けられている。配線基板２２８には、複数の発光ダイオード２２９が左右方向に間隔を存して配置されている。発光ダイオード２２９は、アイコン２０６の光源となるもので、夫々アイコン基板２０７の上の表示マーク２０９と対向し合う位置に配置されている。このため、発光ダイオード２２９が発光すると、それに対応した表示マーク２０９が点灯し、コンピュータ１の動作状態や機能の内容が表示されるようになっている。
【０１１３】
そして、本実施形態の場合、アイコン基板２０７の発光ダイオード２２９との対向面には、拡散シート（図示せず）が貼り付けられている。拡散シートは、指向性の強い発光ダイオード２２９からの光を広範囲に拡散させるためのものであり、この拡散シートの存在により、表示マーク２０９が局部的に発光することなく全体に亘って均等に点灯するようになっている。
【０１１４】
なお、配線基板２２８の先端は、図１９や図２０に示すように、第４の回路基板４０ｄ上の中継コネクタ２３０に接続されている。
【０１１５】
図１に示すように、アッパハウジング４のキーボード装着部８には、情報やコマンドを入力するためのキーボード２３５が取り外し可能に装着されている。図２３や図２４に見られるように、キーボード２３５は、キーボードパネル２３６を備えている。キーボードパネル２３６は、キーボード装着部８に嵌合可能な長方形板状をなしており、キーボード装着部８の底壁８ｅに載置されるようになっている。このキーボードパネル２３６の上面には、多数のキー２３７と、ポインティングデバイスの一種であるジョイスティック２３８とが配置されている。
【０１１６】
キーボードパネル２３６は、キーボード装着部８の前側の側壁８ａに沿う前縁部２３６ａと、後側の側壁８ｂに沿う後縁部２３６ｂとを有している。キーボードパネル２３６の前縁部２３６ａには、複数の第１の係合突起２４０が左右方向に間隔を存して突設されている。キーボードパネル２３６の後縁部２３６ｂには、複数の第２の係合突起２４１が左右方向に間隔を存して突設されている。
【０１１７】
図２５に示すように、キーボード装着部８の前側の側壁８ａと底壁８ｅとで規定される角部には、リブ状の座部２４２が形成されている。座部２４２は、キーボード装着部８の全幅に亘っており、この座部２４２に複数の係合凹部２４３が形成されている。係合凹部２４３は、左右方向に間隔を存して配置されており、座部２４２の上面および後面に連続して開口されている。そして、これら係合凹部２４３には、キーボード２３５をキーボード装着部８に装着した時に、キーボードパネル２３６の第１の係合突起２４０が上方から差し込まれるようになっている。これら第１の係合突起２４０の上面は、座部２４２の上面と略面一となっている。
【０１１８】
図２１や図２４に示すように、キーボード装着部８の後側の側壁８ｂと底壁８ｅとで規定される角部には、複数の係合口２４５が形成されている。係合口２４５は、左右方向に間隔を存して配置されている。これら係合口２４５には、キーボードパネル２３６の第２の係合突起２４１が抜き差し可能に差し込まれるようになっている。
【０１１９】
図１に示すように、アッパハウジング４のフロント部分６は、キーボード２３５の幅方向に沿う全長に亘って延びる長さを有している。このフロント部分６は、キーボード装着部８に連なる前縁部に、下向きに延びる挾持壁部２４７を有している。挾持壁部２４７は、フロント部分６の全幅に亘って延びている。この挾持壁部２４７は、フロント部分６とリヤ部分７とを突き合わせた際に、図２４に示すように、キーボード装着部８の前側の側壁８ａの後面に重なり合い、その下端が座部２４２の上面に接するようになっている。
【０１２０】
また、フロント部分６は、キーボード２３５の手元側に位置している。このフロント部分６の上面は、キーボード２３５を操作する際に手を置く手置き台２５０となっている。この手置き台２５０の略中央部には、液晶ディスプレイ１６３に表示されたコマンドの実行および取り消しを行う操作ボタン２５１ａ，２５１ｂが前後に並べて配置されている。
【０１２１】
このような構成のポータブルコンピュータ１によれば、中継コネクタ４９を開閉可能に覆う第１のコネクタカバー５１は、上カバー部５１ａと下カバー部５１ｂとに上下に分けられているので、第１のコネクタカバー５１を一枚の板で構成する場合との比較において、上カバー部５１ａおよび下カバー部５１ｂの形状がコンパクトとなる。
【０１２２】
このため、上カバー部５１ａおよび下カバー部５１ｂが開き位置に回動された状態でも、これら上カバー部５１ａおよび下カバー部５１ｂが筐体２の内部に大きく入り込むことはなく、筐体２の内部に上カバー部５１ａおよび下カバー部５１ｂを格納する広いスペースを確保する必要はない。
【０１２３】
加えて、上カバー部５１ａおよび下カバー部５１ｂが閉じ位置から開き位置に回動されると、これら上カバー部５１ａおよび下カバー部５１ｂは、中継コネクタ４９の上下両側に回り込む。このため、閉じ位置にある上カバー部５１ａおよび下カバー部５１ｂと中継コネクタ４９との間に、上カバー部５１ａおよび下カバー部５１ｂの回動を許容するスペースを確保する必要はなく、閉じ位置にある上カバー部５１ａおよび下カバー部５１ｂと中継コネクタ４９とを極力近づけることができる。
【０１２４】
よって、筐体２の内部に広い格納スペースを要しないことと合わせて、筐体２の小型化が可能となる。
【０１２５】
なお、本発明に係る携帯形電子機器は、コンピュータに特定されるものではなく、携帯形のワードプロセッサにも同様に実施可能である。
【０１２６】
【発明の効果】
以上詳述した本発明によれば、筐体の内部にカバー部を格納する広いスペースを確保する必要はなく、筐体の小形化が可能となる。
【図面の簡単な説明】
【図１】ディスプレイユニットを第２の位置に回動させた状態を示すポータブルコンピュータの斜視図。
【図２】ディスプレイユニットを第１の位置に回動させた状態を示すポータブルコンピュータの斜視図。
【図３】ポータブルコンピュータの筐体の断面図。
【図４】図３のＡ−Ａ線に沿う断面図。
【図５】図３のＢ−Ｂ線に沿う断面図。
【図６】ポータブルコンピュータの筐体の斜視図。
【図７】第２のコネクタカバーと第３のコネクタカバーを開いた状態を示すポータブルコンピュータの背面図。
【図８】第２のコネクタカバーと第３のコネクタカバーを閉じた状態を示すポータブルコンピュータの背面図。
【図９】第２の回路基板を支持するブラケットとコネクタパネルの支持金具との関係を示す斜視図。
【図１０】第２の回路基板と第３の回路基板の取り付け状態を示す斜視図。
【図１１】第１のカード収容部の部分を破断して示す筐体の斜視図。
【図１２】第１のカード収容部の平面図。
【図１３】ロックレバーを解除位置にスライドさせ、イジェクタのロックを解除した状態の斜視図。
【図１４】ロックレバーをロック位置にスライドさせ、イジェクタをロックした状態の斜視図。
【図１５】イジェクタの連係機構を分解して示す斜視図。
【図１６】ロックレバーをロック位置にスライドさせた時の筐体の斜視図。
【図１７】ロックレバーを解除位置にスライドさせた時の筐体の斜視図。
【図１８】マイクロホンをディスプレイユニットの第１の枢支用脚部に取り付けた状態を示す斜視図。
【図１９】マイクロホンに連なるケーブルの配線経路を示す斜視図。
【図２０】ホルダに各種の機能部品を支持させた状態を示すポータブルコンピュータの正面図。
【図２１】アッパハウジングとホルダとの関係を分解して示す斜視図。
【図２２】筐体とディスプレイユニットとの連結部を示すポータブルコンピュータの斜視図。
【図２３】キーボードの斜視図。
【図２４】キーボードの取り付け部を破断して示すポータブルコンピュータの側面図。
【図２５】アッパハウジングのフロント部分をロアハウジングから取り外した状態を示すポータブルコンピュータの斜視図。
【図２６】アッパハウジングのフロント部分をロアハウジングに取り付けた状態を示すポータブルコンピュータの斜視図。
【図２７】キーボードを筐体に組み込む状態を示すポータブルコンピュータの側面図。
【符号の説明】
２…筐体
４０ａ…回路基板（第１の回路基板）
４９…コネクタ
５１…コネクタカバー（第１のコネクタカバー）
５１ａ，５１ｂ…カバー部（上カバー部、下カバー部）
【図１】
0003670644.tif 000002
【図２】
0003670644.tif 000003
【図３】
0003670644.tif 000004
【図４】
0003670644.tif 000005
【図５】
0003670644.tif 000006
【図６】
0003670644.tif 000007
【図７】
0003670644.tif 000008
【図８】
0003670644.tif 000009
【図９】
0003670644.tif 000010
【図１０】
0003670644.tif 000011
【図１１】
0003670644.tif 000012
【図１２】
0003670644.tif 000013
【図１３】
0003670644.tif 000014
【図１４】
0003670644.tif 000015
【図１５】
0003670644.tif 000016
【図１６】
0003670644.tif 000017
【図１７】
0003670644.tif 000018
【図１８】
0003670644.tif 000019
【図１９】
0003670644.tif 000020
【図２０】
0003670644.tif 000021
【図２１】
0003670644.tif 000022
【図２２】
0003670644.tif 000023
【図２３】
0003670644.tif 000024
【図２４】
0003670644.tif 000025
【図２５】
0003670644.tif 000026
【図２６】
0003670644.tif 000027
【図２７】
0003670644.tif 000028